(57)【要約】【課題】長さの異なる端子金具であっても、確実に端子収容室内の本係止位置に位置付けることができるコネクタを提供する。【解決手段】コネクタ１は、端子金具２とコネクタハウジング３とリアホルダ４と変位手段５とヒンジ６とを備えている。コネクタハウジング３は、一端部３ａから端子金具２が挿入されて内部に端子金具２が収容される端子収容室３２を有している。リアホルダ４は、コネクタハウジング３の一端部３ａに取り付けられる。変位手段５は、コネクタハウジング３に取り付けられたリアホルダ４を、端子金具２と接触しない初期位置と、初期位置よりも更にコネクタハウジング３寄りの押圧位置とに亘って移動可能にする。リアホルダ４は、初期位置から押圧位置に移動する際に端子金具２と接触して該端子金具２を端子金具の挿入方向Ｔに沿って押圧してこの端子金具２を端子収容室３２内の本係止位置に位置付ける端子押圧部４２を備えている。【選択図】図１
2009104989.tif 000002
【特許請求の範囲】
【請求項１】
端子金具と、一端部から前記端子金具が挿入されて内部に該端子金具が収容される端子収容室を有するコネクタハウジングと、前記コネクタハウジングの前記一端部に取り付けられるリアホルダと、を備えたコネクタにおいて、
前記コネクタハウジングに取り付けられた前記リアホルダを、前記端子金具と接触しない初期位置と、前記初期位置よりも更に前記コネクタハウジング寄りの押圧位置とに亘って移動可能にする変位手段を備えるとともに、
前記リアホルダが、前記初期位置から前記押圧位置に移動する際に前記端子金具と接触して該端子金具を端子金具の挿入方向に沿って押圧してこの端子金具を前記端子収容室内の本係止位置に位置付ける端子押圧部を備えたことを特徴とするコネクタ。
【請求項２】
前記コネクタハウジングと前記リアホルダとのうちの一方が、他方を互いの間に位置付ける一対の壁を備えるとともに、
前記変位手段が、前記一対の壁と前記他方とのうちの一方側に設けられた孔部と、他方側に設けられ且つ前記コネクタハウジングに前記リアホルダが取り付けられると前記孔部内に通される突部と、を備え、前記孔部の前記端子金具の挿入方向の長さが、前記突部の前記端子金具の挿入方向の長さよりも長く設けられていることを特徴とする請求項１に記載のコネクタ。
【請求項３】
前記コネクタハウジングと前記リアホルダとが互いに離れる方向に前記コネクタハウジングと前記リアホルダとを相対的に付勢する付勢手段を備えたことを特徴とする請求項１または請求項２に記載のコネクタ。
【請求項４】
前記他方の外表面に設けられ、前記リアホルダが前記初期位置に位置付けられると前記端子金具の挿入方向に沿って前記一対の壁と当接する第二の突部を備えたことを特徴とする請求項３に記載のコネクタ。
【請求項５】
前記第二の突部の前記一対の壁寄りの端部に、前記一対の壁に近づくにしたがって前記他方の外表面に近づくように傾斜したテーパ面が設けられていることを特徴とする請求項４に記載のコネクタ。
【請求項６】
前記第二の突部が、前記リアホルダが前記初期位置から前記押圧位置に移動する際に前記孔部内に通されて、前記端子金具の挿入方向の反対方向に沿って前記孔部の内面と当接することを特徴とする請求項４または請求項５に記載のコネクタ。
【発明の詳細な説明】
【技術分野】
【０００１】
本発明は、端子金具と、一端部から端子金具が挿入されて内部に該端子金具を収容する端子収容室を有するコネクタハウジングと、コネクタハウジングの一端部に取り付けられるリアホルダとを備えたコネクタに関する。
【背景技術】
【０００２】
自動車には多くの電子機器が搭載されており、電子機器はワイヤハーネスを介して自動車や他の電子機器と接続されている。ワイヤハーネスと電子機器とは、それぞれが備えたコネクタ同士が嵌合することによって接続され、ワイヤハーネスは電子機器に電力や制御信号等を伝達する。
【０００３】
このようなコネクタは、端子金具と、コネクタハウジングとを備えている。端子金具は、板金を折り曲げる等して形成されている。端子金具は、電線と接続する電線接続部と、相手方のコネクタの端子金具と接触する電気接触部とを備えている。
【０００４】
電線接続部は、帯板状の底板部と、該底板部の幅方向の両端に連なる複数の加締め片とを備えている。底板部上に電線の端末が配され、加締め片が電線の端末を加締めることによって、端子金具と電線とが電気的に接続する。
【０００５】
電気接続部は、例えば、筒部と、該筒部内に突出した弾性部と、該筒部の外壁を貫通した係止孔とを備えている。筒部の内面と弾性部との間にタブ状の相手方のコネクタの端子金具の電気接続部が挟持されることによって、端子金具同士が電気的に接続する。
【０００６】
コネクタハウジングは、絶縁性の合成樹脂からなり、筒状に形成されている。コネクタハウジングは、端子金具が挿入されて内部に該端子金具を収容する端子収容室を有している。端子収容室には、端子収容室内に突出した係止ランスが設けられている。端子収容室には、コネクタハウジングの相手方のコネクタから離れた一端部から端子金具が挿入され、係止ランスが端子金具の前述した係止孔内に係止されて、端子金具が端子収容室内に収容される（このときの端子金具の位置を「本係止位置」と呼ぶ）。
【０００７】
また、このようなコネクタハウジングとヒンジを介して連結され、コネクタハウジングの前述した一端部に取り付けられるリアホルダを備えたコネクタが知られている（例えば、特許文献１参照）。リアホルダは、端子収容室に収容された端子金具が端子収容室から抜け出るのを防止する。
【０００８】
ところで、前述したように端子金具の加締め片が電線を加締めると加締め部分に端子金具の延びが生じるが、加締め部分に加えられる力は電線のサイズ（直径）によって異なるので、電線のサイズによって前記延びの長さにはばらつきが生じ、よって、端子金具の長さにはばらつきが生じることになる。
【０００９】
そして、端子収容室の長さより短い端子金具を端子収容室に挿入する場合、該端子金具が前記本係止位置に至る前の挿入途中状態（例えば、係止ランスが係止孔内に係止されていない状態）になってしまい、端子金具がこの挿入途中状態のコネクタに相手方のコネクタを嵌合させても、端子金具同士が接続できずにコネクタ同士の間で導通不良が発生してしまうという問題があった。
【００１０】
そこで、リアホルダに、コネクタハウジングに向かって一定量突出した端子押圧部を設け、途中挿入状態の端子金具を押圧して該端子金具を本係止位置に位置付けようとすることが考えられる。
【特許文献１】特開平７−２２１０８号公報
【発明の開示】
【発明が解決しようとする課題】
【００１１】
しかしながら、前述したように端子金具の長さにはばらつきがあるので、前述した端子押圧部では一定長さの端子金具にしか対応することができない。即ち、一定長さより短い端子金具の場合、端子押圧部が端子金具を押圧しても本係止位置に到達するまでは押し込むことができないし、また、一定長さより長い端子金具の場合、挿入途中状態にはなりにくいが、本係止位置に位置付けられた端子金具と端子押圧部が当接してリアホルダをコネクタハウジングに取り付けることができない、といった問題があった。
【００１２】
本発明は、このような問題を解決することを目的としている。即ち、本発明は、長さの異なる端子金具であっても、確実に端子収容室内の本係止位置に位置付けることができるコネクタを提供することを目的としている。
【課題を解決するための手段】
【００１３】
前記課題を解決し目的を達成するために、請求項１に記載された発明は、端子金具と、一端部から前記端子金具が挿入されて内部に該端子金具が収容される端子収容室を有するコネクタハウジングと、前記コネクタハウジングの前記一端部に取り付けられるリアホルダと、を備えたコネクタにおいて、前記コネクタハウジングに取り付けられた前記リアホルダを、前記端子金具と接触しない初期位置と、前記初期位置よりも更に前記コネクタハウジング寄りの押圧位置とに亘って移動可能にする変位手段を備えるとともに、前記リアホルダが、前記初期位置から前記押圧位置に移動する際に前記端子金具と接触して該端子金具を端子金具の挿入方向に沿って押圧してこの端子金具を前記端子収容室内の本係止位置に位置付ける端子押圧部を備えたことを特徴としたコネクタである。
【００１４】
請求項２に記載された発明は、請求項１に記載されたコネクタにおいて、前記コネクタハウジングと前記リアホルダとのうちの一方が、他方を互いの間に位置付ける一対の壁を備えるとともに、前記変位手段が、前記一対の壁と前記他方とのうちの一方側に設けられた孔部と、他方側に設けられ且つ前記コネクタハウジングに前記リアホルダが取り付けられると前記孔部内に通される突部と、を備え、前記孔部の前記端子金具の挿入方向の長さが、前記突部の前記端子金具の挿入方向の長さよりも長く設けられていることを特徴としたコネクタである。
【００１５】
請求項３に記載された発明は、請求項１または請求項２に記載されたコネクタにおいて、前記コネクタハウジングと前記リアホルダとが互いに離れる方向に前記コネクタハウジングと前記リアホルダとを相対的に付勢する付勢手段を備えたことを特徴としたコネクタである。
【００１６】
請求項４に記載された発明は、請求項３に記載されたコネクタにおいて、前記他方の外表面に設けられ、前記リアホルダが前記初期位置に位置付けられると前記端子金具の挿入方向に沿って前記一対の壁と当接する第二の突部を備えたことを特徴としたコネクタである。
【００１７】
請求項５に記載された発明は、請求項４に記載されたコネクタにおいて、前記第二の突部の前記一対の壁寄りの端部に、前記一対の壁に近づくにしたがって前記他方の外表面に近づくように傾斜したテーパ面が設けられていることを特徴としたコネクタである。
【００１８】
請求項６に記載された発明は、請求項４または請求項５に記載されたコネクタにおいて、前記第二の突部が、前記リアホルダが前記初期位置から前記押圧位置に移動する際に前記孔部内に通されて、前記端子金具の挿入方向の反対方向に沿って前記孔部の内面と当接することを特徴としたコネクタである。
【発明の効果】
【００１９】
請求項１に記載された発明によれば、コネクタハウジングに取り付けられたリアホルダを端子金具と接触しない初期位置と該初期位置よりも更にコネクタハウジング寄りの押圧位置とに亘って移動可能にする変位手段を備えるとともに、リアホルダが、初期位置から押圧位置に移動する際に端子金具と接触して該端子金具を端子金具の挿入方向に沿って押圧してこの端子金具を端子収容室内の本係止位置に位置付ける端子押圧部を備えているので、長さの異なる端子金具であっても確実に端子収容室内の本係止位置に位置付けることができ、また、初期位置でリアホルダが端子金具と接触しないので、リアホルダをコネクタハウジングに確実に取り付けることができる。
【００２０】
請求項２に記載された発明によれば、コネクタハウジングとリアホルダとのうちの一方が、他方を互いの間に位置付ける一対の壁を備えるとともに、変位手段が、一対の壁と前記他方とのうちの一方側に設けられた孔部と、他方側に設けられ且つコネクタハウジングにリアホルダが取り付けられると孔部内に通される突部とを備え、孔部の端子金具の挿入方向の長さが、突部の端子金具の挿入方向の長さよりも長く設けられているので、突部が孔部内で端子金具の挿入方向に沿って移動することによってリアホルダを初期位置と押圧位置とに亘って移動可能にすることができる。
【００２１】
請求項３に記載された発明によれば、コネクタハウジングとリアホルダとが互いに離れる方向にコネクタハウジングとリアホルダとを相対的に付勢する付勢手段を備えているので、押圧位置に位置付けられたリアホルダを簡単に初期位置に押し戻すことができる。
【００２２】
請求項４に記載された発明によれば、コネクタハウジングとリアホルダとのうち前記他方の外表面に設けられ、リアホルダが初期位置に位置付けられると端子金具の挿入方向に沿って一対の壁と当接する第二の突部を備えているので、コネクタハウジングと初期位置に位置付けられたリアホルダとが、端子金具の挿入方向に対して交差する方向（一方を中心に他方が回転するような方向）に相対的にがたつくのを防止することができる。
【００２３】
請求項５に記載された発明によれば、第二の突部の一対の壁寄りの端部に、一対の壁に近づくにしたがって前記他方の外表面に近づくように傾斜したテーパ面が設けられているので、初期位置に位置付けられたリアホルダを更にコネクタハウジングに近づけていくと、一対の壁が互いの間隔を広げるように弾性変形してリアホルダを押圧位置に位置付けるとともに、一対の壁の弾性復元力によって押圧位置のリアホルダが初期位置に押し戻されて、リアホルダを初期位置と押圧位置とに亘って簡単に移動させることができる。
【００２４】
請求項６に記載された発明によれば、第二の突部が、リアホルダが初期位置から押圧位置に移動する際に孔部内に通されて、端子金具の挿入方向の反対方向に沿って孔部の内面と当接するので、コネクタハウジングとリアホルダとが端子金具の挿入方向（及び前記挿入方向の反対方向）に沿って相対的にがたつくのを防止することができる。
【発明を実施するための最良の形態】
【００２５】
以下、本発明の第一の実施形態にかかるコネクタ１を図１ないし図１２を参照して説明する。本実施形態にかかるコネクタ１は、図１等に示すように、端子金具２（図３）と、コネクタハウジング３と、リアホルダ４と、変位手段５と、付勢手段としてのヒンジ６とを備えている。
【００２６】
端子金具２は、板金を折り曲げる等して形成されている。端子金具２は、所謂雌端子である。端子金具２は、図３に示すように、電線９の端末に取り付けられる。端子金具２は、コネクタハウジング３の一端部３ａ側に配されて電線９と接続する電線接続部２１と、コネクタハウジング３の他端部側に配されて嵌合する相手方のコネクタの端子金具（以下、相手方の端子金具と呼ぶ）と接触する電気接触部２２とを備えている。
【００２７】
電線接続部２１は、短筒状の電線保持部２３と、電線保持部２３の端部に連なる帯板状の底板部２４と、底板部２４の幅方向の両端に連なる一対の加締め片２５とを備えている。電線保持部２３内に電線９が通されて電線保持部２３が電線９を加締め、底板部２４上に電線９の芯線が配され、加締め片２５が該芯線を加締めることによって、端子金具２と電線９とが電気的に接続する。
【００２８】
なお、電線保持部２３や加締め片２５が電線９を加締めると電線保持部２３、底板部２４や加締め片２５に延びが生じるが、底板部２４や加締め片２５に加えられる力は電線９のサイズ（直径）によって異なるので、電線９のサイズによってこの延びの長さにはばらつきが生じ、よって、端子金具２の長さにばらつきが生じる。
【００２９】
電気接触部２２は、角筒部２６と、弾性部２７（図８等）と、係止孔２８とを備えている。角筒部２６は、底板と、底板の幅方向の両端に連なる一対の側板とを有し、それぞれの側板を互いに近づく方向にＬ字状に折り曲げて全体として略角筒状に形成されている。弾性部２７は、角筒部２６の上内面から角筒部２６の内側に向かって突出し、該上内面に近づく方向に弾性変形自在に設けられている。係止孔２８は、一対の側板の先端同士の間の隙間のうち、該隙間の長手方向中央の幅広に設けられた部分である。角筒部２６内には相手方の端子金具が挿入され、角筒部２６の下内面と弾性部２７との間に相手方の端子金具が挟持されることによって、端子金具同士が電気的に接続する。
【００３０】
コネクタハウジング３は、合成樹脂等の絶縁性の材料からなる。コネクタハウジング３は、図１に示すように、ハウジング本体３１と、端子収容室３２と、一対の壁３３とを備えている。ハウジング本体３１は、角筒状に形成されている。
【００３１】
端子収容室３２は、ハウジング本体３１の内側の空間であり、直線状に延びて設けられている。端子収容室３２には、コネクタハウジング３の一端部３ａから矢印Ｔに沿って端子金具２が挿入されて内部に端子金具２が収容される。端子収容室３２の内側には、係止ランス３２ａ（図８等）が突出している。係止ランス３２ａは、端子収容室３２の上内面に連なり、該上内面に近づく方向に弾性変形自在に設けられている。係止ランス３２ａが端子金具２の係止孔２８内に係止することによって、端子金具２が端子収容室３２内に保持される（このときの端子金具２の位置を「本係止位置」と呼ぶ）。
【００３２】
一対の壁３３は、それぞれ、コネクタハウジング３の前述した一端部３ａ側に設けられている。一対の壁３３は、それぞれ、ハウジング本体３１の複数の外壁のうち互いに相対する外壁に連なるとともに、ハウジング本体３１の長手方向に沿って突出している。一対の壁３３は、それぞれ、平面形状が略矩形状に形成され、互いに平行に、互いに間隔をあけて相対するように設けられている。一対の壁３３の先端側は、互いの間隔を広げるように弾性変形自在に設けられている。コネクタハウジング３にリアホルダ４が取り付けられると、一対の壁３３は、リアホルダ４を互いの間に位置付ける。
【００３３】
リアホルダ４は、合成樹脂等の絶縁性の材料からなり、コネクタハウジング３の一端部３ａに取り付けられる。リアホルダ４は、図１に示すように、ホルダ本体４１と、端子押圧部４２と、第二の突部４３と、操作部４４とを備えている。ホルダ本体４１は、帯板状の底壁４１ａと、底壁４１ａの幅方向の両端に連なる一対の側壁４１ｂとを備え、略樋状に形成されている。
【００３４】
端子押圧部４２は、コネクタハウジング３にリアホルダ４が取り付けられるとコネクタハウジング３寄りに配されるそれぞれの側壁４１ｂの端部に設けられ、該端部からコネクタハウジング３に向かって突出している。端子押圧部４２は、リアホルダ４が初期位置に位置付けられた状態では端子金具２と接触しないような突出量で設けられている。また、端子押圧部４２は、リアホルダ４が初期位置から押圧位置に移動する際に端子金具２の電線保持部２３と接触して端子金具２を端子金具の挿入方向Ｔに沿って押圧して、端子金具２を端子収容室３２内の前述した本係止位置に位置付ける。なお、初期位置と押圧位置については、後で詳細に説明する。
【００３５】
第二の突部４３は、コネクタハウジング３にリアホルダ４が取り付けられるとコネクタハウジング３寄りに配されるそれぞれの側壁４１ｂの外表面に設けられている。第二の突部４３は、それぞれの側壁４１ｂに複数設けられ、図示例では二つ（合計で四つ）設けられている。複数の第二の突部４３は、端子金具の挿入方向Ｔに直交する方向に沿って並んで設けられている。リアホルダ４が初期位置に位置付けられると、第二の突部４３は一対の壁３３と当接し、端子金具の挿入方向Ｔに対して交差する方向、即ち、コネクタハウジング３（またはヒンジ６）を中心にリアホルダ４が回転するような方向にがたつくのを防止する。
【００３６】
第二の突部４３には、テーパ面４５が設けられている。テーパ面４５は、コネクタハウジング３にリアホルダ４が取り付けられると一対の壁３３寄りに配される第二の突部４３の端部に設けられ、一対の壁３３に近づくにしたがってホルダ本体４１の側壁４１ｂの外表面に近づく方向に傾斜している。
【００３７】
操作部４４は、コネクタハウジング３にリアホルダ４が取り付けられるとコネクタハウジング３から離れて配されるそれぞれの側壁４１ｂの端部に設けられている。操作部４４は、階段状の凹凸として設けられている。操作部４４は、作業者がリアホルダ４（またはコネクタ１）を操作する際等に把持する部分であり、指との摩擦が大きくなるように形成されている。
【００３８】
変位手段５は、コネクタハウジング３に設けられた孔部５１と、リアホルダ４に設けられた突部５２とを備えている。孔部５１は、コネクタハウジング３の一対の壁３３のそれぞれの壁３３を貫通して設けられている。孔部５１は、それぞれの壁３３に複数設けられ、図示例では二つ（合計で四つ）設けられている。複数の孔部５１は、端子金具の挿入方向Ｔに直交する方向に沿って並んで設けられている。孔部５１は、平面形状が略矩形状に形成され、孔部５１の端子金具の挿入方向Ｔの長さが突部５２の前記挿入方向Ｔの長さより長く設けられている。この孔部５１と突部５２の前記挿入方向Ｔの長さの差は、製造誤差によるものではなく意図的なものであり、製造誤差によるものよりも大きく設けられている。
【００３９】
突部５２は、コネクタハウジング３にリアホルダ４が取り付けられるとコネクタハウジング３寄りに配されるホルダ本体４１のそれぞれの側壁４１ｂの外表面に設けられている。突部５２は、それぞれの側壁４１ｂに複数設けられ、図示例では二つ（合計で四つ）設けられている。複数の突部５２は、端子金具の挿入方向Ｔに直交する方向に沿って並んで設けられている。突部５２は、第二の突部４３よりも更にコネクタハウジング３寄りに設けられている。また、複数の突部５２は、それぞれ、端子金具の挿入方向Ｔに沿って第二の突部４３と並んで設けられている。端子金具の挿入方向Ｔにおける突部５２と第二の突部４３との間隔は、端子金具の挿入方向Ｔにおける孔部５１と一対の壁３３の先端との間隔と略等しくなるように設けられている。
【００４０】
前述した構成の変位手段５は、コネクタハウジング３にリアホルダ４が取り付けられると、孔部５１内に突部５２が通される。孔部５１内に通された突部５２は孔部５１内で前記挿入方向Ｔに移動可能である。孔部５１内で突部５２が移動することによって、変位手段５は、コネクタハウジング３に取り付けられたリアホルダ４を、端子金具２と接触しない初期位置と、初期位置よりも更にコネクタハウジング３寄りの押圧位置とに亘って移動可能にする。
【００４１】
ヒンジ６は、合成樹脂等の絶縁性の材料からなる。ヒンジ６は、図１に示すように、薄板状に形成され、弾性変形自在に設けられている。ヒンジ６は、コネクタハウジング３及びリアホルダ４と一体に設けられ、コネクタハウジング３の一端部３ａの外表面と、ホルダ本体４１の底壁４１ａのコネクタハウジング３寄りの端部とに連なっている。即ち、ヒンジ６は、コネクタハウジング３とリアホルダ４とを連結している。コネクタハウジング３にリアホルダ４が取り付けられると、ヒンジ６は弾性変形して湾曲し、弾性復元力によってコネクタハウジング３とリアホルダ４とが互いに離れる方向にコネクタハウジング３とリアホルダ４とを相対的に付勢する。
【００４２】
前述した構成のコネクタ１を組み立てる際には、まず、端子金具２をコネクタハウジング３の端子収容室３２に挿入する。この段階での端子金具２の位置は、端子金具２の長さに応じて図８に示すように本係止位置でなくてもよいし、図１１に示すように本係止位置でもよい。
【００４３】
そして、図１中の一点鎖線矢印に沿うようにコネクタハウジング３にリアホルダ４を近づけていき、コネクタハウジング３の孔部５１内にリアホルダ４の突部５２を通して、図２に示すようにコネクタハウジング３にリアホルダ４を取り付ける。このとき、リアホルダ４は初期位置に位置付けられる。
【００４４】
初期位置とは、突部５２が孔部５１内のリアホルダ４寄りに配され（図６）、第二の突部４３が壁の先端と当接する位置に配され（図４）、ヒンジ６が弾性変形した状態の、コネクタハウジング３に対するリアホルダ４の位置である。このとき、リアホルダ４の端子押圧部４２は、端子収容室３２内の端子金具２と接触せずに端子金具２の電線保持部２３と間隔をあけて相対するように配される。
【００４５】
そして、初期位置に位置付けられたリアホルダ４に外力を加えてリアホルダ４を更にコネクタハウジング３に近づけていくと、ヒンジ６が弾性変形するとともに、コネクタハウジング３の一対の壁３３が第二の突部４３のテーパ面４５上を摺動して互いの間隔を広げるように弾性変形して、リアホルダ４は初期位置よりも更にコネクタハウジング３に近づいていく。そして、端子押圧部４２が、端子金具２の電線保持部２３と接触して該端子金具２を端子金具の挿入方向Ｔに沿って押圧し、端子金具２を端子収容室３２内の本係止位置（図９）に位置付ける。端子金具２が本係止位置に位置付けられると端子金具２は端子収容室３２内で固定されるので、リアホルダ４はそれ以上コネクタハウジング３に近づけなくなり、リアホルダ４は押圧位置に位置付けられる。
【００４６】
押圧位置とは、突部５２が孔部５１内のリアホルダ４から離れた側に配され（図７）、且つ、第二の突部４３が壁を弾性変形させ（図５）、ヒンジ６が更に弾性変形した状態の、コネクタハウジング３に対するリアホルダ４の位置である。このとき、リアホルダ４の端子押圧部４２は、前述したように端子収容室３２内の本係止位置に位置付けられた端子金具２の電線保持部２３と当接している（図９）。
【００４７】
そして、リアホルダ４に加えた外力をなくすと、ヒンジ６及び一対の壁３３が弾性復元して、これらの弾性復元力によって押圧位置に位置付けられたリアホルダ４は初期位置へと押し戻される（図１０）。以上のように、コネクタ１が組み立てられる。
【００４８】
このように組み立てられたコネクタ１は、電線のサイズによって底板部２４や加締め片２５の延びの長さ、即ち、長手方向の長さにばらつきがある端子金具２であっても、それぞれ、確実に本係止位置に位置付けることができる。まず、一定長より短い端子金具２の場合（図８及び図９）は、前述のようにリアホルダ４が初期位置から押圧位置へと移動して端子金具２を押し込むことによって、端子金具２が本係止位置へと位置付けられる。
【００４９】
また、一定長より長い端子金具２（図１１及び図１２）の場合は、端子押圧部４２が本係止位置に位置付けられた端子金具２と当接してリアホルダ４を取り付けられなくなることがないように、端子押圧部４２の突出量を最長の端子金具２を想定して設定することによって、リアホルダ４はコネクタハウジング３に確実に取り付けられる。
【００５０】
本実施形態によれば、コネクタハウジング３に取り付けられたリアホルダ４を端子金具２と接触しない初期位置と該初期位置よりも更にコネクタハウジング３寄りの押圧位置とに亘って移動可能にする変位手段５を備えるとともに、リアホルダ４が、初期位置から押圧位置に移動する際に端子金具２と接触して該端子金具２を端子金具の挿入方向Ｔに沿って押圧してこの端子金具２を端子収容室３２内の本係止位置に位置付ける端子押圧部４２を備えているので、長さの異なる端子金具２であっても確実に端子収容室３２内の本係止位置に位置付けることができ、また、初期位置でリアホルダ４が端子金具２と接触しないので、リアホルダ４をコネクタハウジング３に確実に取り付けることができる。
【００５１】
コネクタハウジング３がリアホルダ４を互いの間に位置付ける一対の壁３３を備えるとともに、変位手段５が、一対の壁３３に設けられた孔部５１と、リアホルダ４に設けられ且つコネクタハウジング３にリアホルダ４が取り付けられると孔部５１内に通される突部５２とを備え、孔部５１の端子金具の挿入方向Ｔの長さが突部５２の端子金具の挿入方向Ｔの長さよりも長く設けられているので、突部５２が孔部５１内で端子金具の挿入方向Ｔに沿って移動することによってリアホルダ４を初期位置と押圧位置とに亘って移動可能にすることができる。
【００５２】
コネクタハウジング３とリアホルダ４とが互いに離れる方向にコネクタハウジング３とリアホルダ４とを相対的に付勢するヒンジ６を備えているので、押圧位置に位置付けられたリアホルダ４を簡単に初期位置に押し戻すことができる。また、コネクタハウジング３とリアホルダ４とが一体となるので、コネクタ１を簡単且つ効率よく組み立てることができる。
【００５３】
リアホルダ４の外表面に設けられ、リアホルダ４が初期位置に位置付けられると端子金具の挿入方向Ｔに沿って一対の壁３３と当接する第二の突部４３を備えているので、コネクタハウジング３と初期位置に位置付けられたリアホルダ４とが、端子金具の挿入方向Ｔに対して交差する方向（コネクタハウジング３を中心にリアホルダ４が回転するような方向）に相対的にがたつくのを防止することができる。
【００５４】
第二の突部４３の一対の壁３３寄りの端部に、一対の壁３３に近づくにしたがってリアホルダ４の外表面に近づくように傾斜したテーパ面４５が設けられているので、初期位置に位置付けられたリアホルダ４を更にコネクタハウジング３に近づけていくと、一対の壁３３が互いの間隔を広げるように弾性変形してリアホルダ４を押圧位置に位置付けるとともに、一対の壁３３の弾性復元力によって押圧位置のリアホルダ４が初期位置に押し戻されて、リアホルダ４を初期位置と押圧位置とに亘って簡単に移動させることができる。
【００５５】
本実施形態においては、コネクタハウジング３が一対の壁３３を備えていた。しかしながら本発明では、リアホルダ４が一対の壁３３を備えていてもよい。また、本実施形態においては、一対の壁３３に孔部５１が設けられてリアホルダ４に突部５２が設けられていたが、一対の壁３３に突部５２が設けられてリアホルダ４に孔部５１が設けられていてもよい。
【００５６】
また、本実施形態においては、突部５２がそれぞれの側壁４１ｂに二つずつ設けられていた。しかしながら本発明では、突部５２がそれぞれの側壁４１ｂに少なくとも一つ設けられていればよい。
【００５７】
また、本実施形態においては、コネクタハウジング３とリアホルダ４とを連結するヒンジ６を備えていたが、必ずしもヒンジ６を備えていなくてもよい。
【００５８】
次に、本発明の第二の実施形態にかかるコネクタ１を、図１３及び図１４を参照して説明する。なお、前述した第一の実施形態と同一構成部分には、同一符号を付して説明を省略する。
【００５９】
本発明の第二の実施形態にかかるコネクタ１の第二の突部４３’は、第一の実施形態の第二の突部４３よりも端子金具の挿入方向Ｔに沿って突部５２寄りに設けられている。即ち、前記挿入方向Ｔの突部５２と第二の突部４３’との間隔は、少なくとも前記挿入方向Ｔの孔部５１の長さ以下になるように設けられ、突部５２と第二の突部４３’との双方が孔部５１内に通されることができるようになっている。
【００６０】
前述した構成の第二の突部４３’を備えたコネクタ１において、初期位置に位置付けられたリアホルダ４に外力を加えてコネクタハウジング３に近づけていくと、ヒンジ６が弾性変形するとともに、コネクタハウジング３の一対の壁３３が第二の突部４３’のテーパ面４５上を摺動して互いの間隔を広げるように弾性変形して、リアホルダ４は初期位置よりも更にコネクタハウジング３に近づいていく。そして、図１３に示すように第二の突起４３’が一対の壁３３を乗り越えて孔部５１内に通され、端子押圧部４２が端子金具２の電線保持部２３と接触して該端子金具２を端子金具の挿入方向Ｔに沿って押圧し、端子金具２を端子収容室３２内の本係止位置に位置付ける。
【００６１】
端子金具２が本係止位置に位置付けられると端子金具２は端子収容室３２内で固定されるので、リアホルダ４はそれ以上コネクタハウジング３に近づけなくなり、リアホルダ４は押圧位置に位置付けられる。本実施形態においては、押圧位置において第二の突部４３’は孔部５１内に通されている。
【００６２】
そして、リアホルダ４に加えた外力をなくすと、ヒンジ６の弾性復元力によって押圧位置に位置付けられたリアホルダ４は初期位置側（初期位置と押圧位置との間の位置）へと押し戻され、図１４に示すように、第二の突部４３’は端子金具の挿入方向Ｔの反対方向に沿って孔部５１の内面と当接する。
【００６３】
本実施形態によれば、前述した第一の実施形態の効果に加え、第二の突部４３’が、リアホルダ４が初期位置から押圧位置に移動する際に孔部５１内に通されて、端子金具の挿入方向Ｔの反対方向に沿って孔部５１の内面と当接するので、コネクタハウジング３とリアホルダ４とが端子金具の挿入方向Ｔ（及び前記挿入方向Ｔの反対方向）に沿って相対的にがたつくのを防止することができる。
【００６４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明の第一の実施形態にかかるコネクタを示す斜視図である。
【図２】図１に示されたリアホルダがコネクタハウジングに取り付けられた状態（初期位置）を示す斜視図である。
【図３】コネクタの端子金具を示す斜視図である。
【図４】図２に示されたコネクタの要部を拡大して示す上面図である。
【図５】図４に示されたリアホルダが押圧位置に位置付けられたコネクタの上面図である。
【図６】図４に示されたコネクタの側面図である。
【図７】図５に示されたコネクタの側面図である。
【図８】図４中のVIII-VIII線に沿った断面図である。
【図９】図５中のIX-IX線に沿った断面図である。
【図１０】図９に示されたリアホルダが初期位置に押し戻された状態を示す断面図である。
【図１１】端子金具が一定長より長い場合のコネクタの断面図である。
【図１２】図１１中のＡ部分を拡大して示す断面図である。
【図１３】本発明の第二の実施形態にかかるコネクタを示す側面図である。
【図１４】図１３に示されたリアホルダが押圧位置に位置付けられた後に押し戻された状態を示す側面図である。
【符号の説明】
【００６６】
１    コネクタ
２    端子金具
３    コネクタハウジング
３ａ    一端部
４    リアホルダ
５    変位手段
６    ヒンジ（付勢手段）
３２    端子収容室
３３    一対の壁
４２    端子押圧部
４３、４３’    第二の突部
４４    操作部
４５    テーパ面
５１    孔部
５２    突部
Ｔ    端子金具の挿入方向
【図１】
2009104989.tif 000003
【図２】
2009104989.tif 000004
【図３】
2009104989.tif 000005
【図４】
2009104989.tif 000006
【図５】
2009104989.tif 000007
【図６】
2009104989.tif 000008
【図７】
2009104989.tif 000009
【図８】
2009104989.tif 000010
【図９】
2009104989.tif 000011
【図１０】
2009104989.tif 000012
【図１１】
2009104989.tif 000013
【図１２】
2009104989.tif 000014
【図１３】
2009104989.tif 000015
【図１４】
2009104989.tif 000016